(57)【要約】      （修正有）【課題】２以上の人物に関する誕生石を並べて配置するブレスレットにおいて、各誕生石に対応する人物に関する情報を、各誕生石に対して対応がわかるように表記したブレスレットを提供する。【解決手段】ブレスレットＸとして、紐又は線材をリング状に形成したリング部３０と、前記リング部に並んだ状態で通されて固定される、それぞれが特定の人物に関する誕生石により形成されるビーズからなる２以上の誕生石ビーズ１０ａ，１０ｂ，１０ｃと、板体からなる表示板であって、間に前記誕生石ビーズが並んだ状態で略動かないように挟む、前記リング部に通すための穴が開いた二つの突出部２２を裏面側に設ける。さらに、表面２１に前記誕生石ビーズの配置順に当該誕生石ビーズが対応する前記人物に関する情報２１ａ，２１ｂ，２１ｃが表示され、前記突出部により前記リング部３０に通されて固定される表示板とにより構成する。【選択図】図１
0003163933.tif 000002
【実用新案登録請求の範囲】
【請求項１】
紐又は線材をリング状に形成したリング部と、
前記リング部に並んだ状態で通されて固定される、それぞれが特定の人物に関する誕生石により形成されるビーズからなる２以上の誕生石ビーズと、
板体からなる表示板であって、間に前記誕生石ビーズが並んだ状態で略動かないように挟む、前記リング部に通すための穴が開いた二つの突出部が裏面側に設けられ、表面に前記誕生石ビーズの配置順に当該誕生石ビーズが対応する前記人物に関する情報が表示され、前記突出部により前記リング部に通されて固定される表示板と
を有するブレスレット。
【請求項２】
前記リング部の前記突出部の間以外の位置にもビーズが通されて固定された請求項１に記載のブレスレット。
【請求項３】
前記人物に関する情報は、前記人物の名前に関する情報及び／又は前記人物の誕生日に関する情報である請求項１又は２に記載のブレスレット。
【考案の詳細な説明】
【技術分野】
【０００１】
本考案は２以上の人物に関する誕生石を有するブレスレットに関する。
【背景技術】
【０００２】
従来、ブレスレットや指輪を誕生石で装飾することが行なわれている。この場合、一般には誕生石が表す誕生日の対象者についての情報は示されないので、特定の人物に関するブレスレット等であることはわからない。一方、下記特許文献には、ブレスレットや指輪に誕生石を用いるとともに、使用者の氏名やイニシャルを表示することが示されている。即ち、特許文献１には、数珠において、誕生石からなる珠の他に、氏名を入れた珠を数珠に含ませることが示されている。また、特許文献２には誕生石の両側の指輪表面にイニシャルを記入することが示されている。このようにすることで、誕生石とその誕生石が対象とする人物とを関連付けることができ、ブレスレット等を固有のものとすることができる。
【先行技術文献】
【特許文献】
【０００３】
【特許文献１】実用新案登録第3082579号公報
【特許文献２】実開平3-101216号公報
【考案の概要】
【考案が解決しようとする課題】
【０００４】
ところで、本考案の考案者は、夫婦や親子など複数の人物に関する誕生石を一つのブレスレットに並べて配置することでこれらの人物の絆を示すアクセサリーとすることを考えた。この場合、単に誕生石を配置しただけでは、人物同士に関して固有のブレスレットにはならないので、人物と誕生石との関係を表記するようにすることが望ましい。しかし、上記特許文献１に記載のブレスレットのように誕生石を構成しない珠に人物に関する情報を表す場合、複数の誕生石が存在するとどの誕生石に対して、どの情報が対応するのかが明確にならないという問題がある。また、誕生石同士を接触させて配置する場合、特許文献２に記載の指輪のように誕生石の横に情報を示しても、やはり、各誕生石と情報との対応が明確にならない。
本考案は、このような事情に鑑み、２以上の人物に関する誕生石を並べて配置するブレスレットにおいて、各誕生石に対応する人物に関する情報を、各誕生石に対して対応がわかるように表記することを課題とする。
【課題を解決するための手段】
【０００５】
上記課題を解決するために、本考案は次のような構成を有する。
請求項１に記載の考案は、紐又は線材をリング状に形成したリング部と、前記リング部に並んだ状態で通されて固定されるる、それぞれが特定の人物に関する誕生石により形成されるビーズからなる２以上の誕生石ビーズと、板体からなる表示板であって、間に前記誕生石ビーズが並んだ状態で略動かないように挟む、前記リング部に通すための穴が開いた二つの突出部が裏面側に設けられ、表面に前記誕生石ビーズの配置順に当該誕生石ビーズが対応する前記人物に関する情報が表示され、前記突出部により前記リング部に通されて固定される表示板とを有するブレスレットである。なお、紐にはチェーンが含まれる。
請求項２に記載の考案は、前記ブレスレットにおいて、前記リング部の前記突出部の間以外の位置にもビーズが通されたものである。
請求項３に記載の考案は、前記ブレスレットにおいて、前記人物に関する情報は、前記人物の名前に関する情報及び／又は前記人物の誕生日に関する情報である。
【考案の効果】
【０００６】
以上のような構成により、本考案は次のような効果を奏する。
請求項１に記載の考案は、それぞれが特定の人物に関する誕生石からなる誕生石ビーズが並んで配置され、これに表示板が動かないように固定され、誕生石ビーズの配置順に表示板に各人物に関する情報が表示されるので、誕生石と各人物に関する情報との対応を明確にすることができる。
請求項２に記載の考案は、ブレスレットを構成する紐に誕生石ビーズ以外にもビーズを通すことで数珠状のブレスレットを構成できる。
請求項３に記載の考案は、表示板に誕生石に対応する人物の氏名や誕生日に関する情報を示すことで、誕生石と人物との関係性を強く示すことができる。
【図面の簡単な説明】
【０００７】
【図１】実施形態に係るブレスレットの斜視図である。
【図２】（ａ）は表示板の正面図であり、（ｂ）は表示板の側面図であり、（ｃ）は表示板の平面図である。
【図３】（ａ）（ｂ）とも表示板の変形例を示す斜視図である。
【考案を実施するための形態】
【０００８】
以下、本考案の実施の形態について、図面を参照しながら説明する。
図１に本実施形態に係るブレスレットＸの斜視図を示す。ブレスレットＸは、ビーズ１０、表示板２０、リング３０とから構成される。
ビーズ１０は、丸い中央に穴が設けられた珠であり、誕生石から構成される３つの誕生石ビーズ１０ａ、１０ｂ、１０ｃと、それ以外のビーズ１０ｚが含まれる。ビーズ１０ｚは誕生石以外の石からなり、ここではオニキスが用いられる。誕生石ビーズ１０ａ、１０ｂ、１０ｃはそれぞれ特定の人物に関する誕生石であり、ここでは、特定女性とその両親の誕生石が用いられている。
【０００９】
表示板２０は各誕生石ビーズ１０ａ、１０ｂ、１０ｃに対応する人物に関する情報を表記するものである。図２（ａ）（ｂ）（ｃ）のそれぞれに表示板２０の正面図、側面図、平面図を示す。表示板２０は、細長い板体であって両端を裏面側に折り曲げることで裏面側に２つの突出部２２が形成される。突出部２２、２２同士の間隔は配列された前記誕生石ビーズ１０ａ、１０ｂ、１０ｃの幅より少しだけ大きなものであり、また、突出部２２にはリング３０を構成する紐を通す穴２２ａが設けられている。表示板２０の正面２１には、前記各誕生石１０ａ、１０ｂ、１０ｃに対応する人物の情報２１ａ、２１ｂ、２１ｃが刻まれている。ここでは人物の情報２１ｂ、２１ａ、２１ｃとして特定の女性、その母親及び父親の誕生日と名前が刻まれている。
【００１０】
リング３０はゴム紐により形成される。リング３０の形成に際しては、誕生石ビーズ１０ａ、１０ｂ、１０ｃを表示板２０の表記に合致するように表示板２０の突出部２２、２２の間に並べた状態で、誕生石ビーズ１０ａ、１０ｂ、１０ｃの穴および突出部２２，２２の穴２２ａにリング３０を形成するゴム紐を通し、さらに、当該ゴム紐の突出部２２、２２の外側に他のビーズ１０ｚを通した後に、ゴム紐の両端を縛ってリング状としたものである。
【００１１】
ブレスレットＸは、以上のような構造を有し、誕生石ごとに対応する人物に関する情報が表示板２０に、誕生石の並びに合致するように配置して表記されるので、どの情報がどの誕生石に対応するのかを明確に示すことができる。
なお、表示板の形状は表面の表記部分とリングに通り誕生石を挟む突出部があれば、種々の変形が可能であり、例えば図３（ａ）に示すように突出部の後端同士を連結するような形態や、図３（ｂ）に示すように突出部を折り曲げて形成するのではなく、溶接などで貼りつけて固定するような形態などが例示される。
また、上記実施形態では３人の人物に対応する３つの誕生石ビーズを用いたものを例示したが、２以上の人物に関して対応する２以上の誕生石ビーズを用いるものに本考案は適用可能である。
さらに、上記実施形態では、誕生石ビーズ以外にもビーズを通すことで数珠状のブレスレットを形成したが、リング部をチェーンや、貴金属の線材等で形成することで、リング部分が表出しても見栄えのよいものとし、誕生石ビーズ以外のビーズを用いないようにすることもできる。
【符号の説明】
【００１２】
Ｘ  ブレスレット
１０  ビーズ
１０ａ、１０ｂ、１０ｃ  誕生石ビーズ
２０  表示板
２２  突出部
２２a  穴
３０  リング
【図１】
0003163933.tif 000003
【図２】
0003163933.tif 000004
【図３】
0003163933.tif 000005